(57)【特許請求の範囲】
【請求項１】
液体状の試料が有する味を解析するための味解析装置であって、
a)解析対象の液体試料に含まれる各種成分を時間方向に分離する液体クロマトグラフの分離カラムと、
b)該分離カラムで分離された前記液体試料中の各種成分を含む該分離カラム出口からの溶出液中の成分を時間経過に伴って順次検出するための、互いに異なる応答特性を有する複数の味覚センサを含む第１の検出手段と、
c)前記複数の味覚センサにより得られる検出信号を処理することにより、各試料成分に対応した味に関する情報を求める信号処理手段と、
を備えることを特徴とする味解析装置。
【請求項２】
前記分離カラム出口から前記第１の検出手段へと向かう流路上に配置され、該分離カラム出口からの溶出液中の成分を時間経過に伴って順次検出する紫外可視分光光度検出器をさらに備えることを特徴とする請求項１に記載の味解析装置。
【請求項３】
前記分離カラムにより成分分離される前の前記液体試料の味を検出するために、互いに異なる応答特性を有する複数の味覚センサを含む第２の検出手段をさらに備えることを特徴とする請求項１又は２に記載の味解析装置。
【請求項４】
前記第１の検出手段と前記第２の検出手段とは共通の検出手段であり、前記液体試料又は前記分離カラム出口からの溶出液を選択的に前記検出手段に供給する流路切替手段をさらに備えることを特徴とする請求項３に記載の味解析装置。
【請求項５】
前記分離カラムにより成分分離される前及び／又は成分分離された後の試料に添加物を選択的に混入させる添加物混入手段をさらに備え、添加物が混入された状態の試料を成分分離する前に前記検出手段により検出する、及び／又は、前記分離カラムにより分離された各成分毎に添加物が混入された状態の試料を前記検出手段により検出することを特徴とする請求項１〜４のいずれかに記載の味解析装置。
【請求項６】
前記液体試料を希釈する希釈手段をさらに備え、適宜に希釈された液体試料を成分分離する前に及び／又は成分分離した後に検出することを特徴とする請求項１〜５のいずれかに記載の味解析装置。
【発明の詳細な説明】
【技術分野】
【０００１】
本発明は、人間の味覚の代替又は補完として、飲食物等の味を解析する味解析装置に関する。
【背景技術】
【０００２】
従来、飲料品、食品、経口投薬剤等の味の識別や評価は、人間の味覚を用いた官能試験により行われるのが一般的であった。例えば味希釈評価法（Taste Dilution Analysis）と呼ばれる試験法では、分析対象である試料を少しずつ希釈しながら複数の官能試験者（パネル）が味を評価し、希釈率を大きくしたときに最終的に残った味質を判定する。しかしながら、パネルの個人差やその日の体調・気分などによって味覚は微妙に変動するため、たとえ複数のパネルで試験を行ったとしても客観性や再現性のある評価が難しい場合があった。また、パネルには特に日頃の体調管理などに気を配ることなどが要求されるため、パネルの確保や育成が難しいといった問題もある。
【０００３】
一方で、飲食品の製品開発や製造ラインでの品質管理などには味の評価が不可欠である。そのため、人間の味覚に頼らずに、これに代替し得る味の評価が行えるような装置が従来より強く要望されている。これに対し、特許文献１、非特許文献１などに開示されているような味認識装置が従来より知られている。この味認識装置は、脂質膜（高分子膜）と化学物質である分析対象物質との相互作用によって脂質膜電極と基準となる参照電極との電位差が変化することを利用し、この電位差に基づいて分析対象である試料の味の評価を行うようにしたものである。
【０００４】
より詳しく述べると、非特許文献１に記載の装置では、複数の脂質膜を用いて電位差の計測を行う８個の味覚センサを備え、それぞれの検出出力を主成分分析や重回帰分析することにより味質の判別を行う。現在実用化されているのは、塩味、酸味、旨味、苦味、渋味の５つの味質である。８個の味覚センサはその性質の相違により４個ずつ２つのグループに分けられており、次の手順で以て分析を進める。
【０００５】
（１）容器に収容された信号出力のベースとなる基準液に各センサグループに属する味覚センサを接触させ、各味覚センサの信号出力が安定するまで待つ。
（２）容器に収容された分析対象の液体試料に各センサグループに属する味覚センサを接触させ、信号出力の変化をモニタする。
（３）モニタした信号に対し主成分分析（又は重回帰分析）プログラムを適用して味質を判定する。
（４）再度、容器に収容された基準液に各センサグループに属する味覚センサを接触させ、それら味覚センサの信号出力が安定するまで待ち、その信号レベルが測定前の（つまり上記（１）の）レベルに戻ることを確認する。
（５）（４）において信号レベルが測定前のレベルに戻らなければ洗浄液にて各味覚センサを洗浄する。
【０００６】
上述した従来の味認識装置は、分析対象の試料全体の総合的な味質の評価を行うことを目的としており、各種の試験結果が公表されている。しかしながら、こうした従来の味認識装置では試料に含まれる各種物質の個々の味質を捉えることができないため、どのような物質が試料全体の味質に寄与しているのかを調べたり、或いは、個々の物質の味質の組み合わせと全体の味質との関係を調べたりすることはできなかった。
【０００７】
また、従来より、複数の味質が混じったときに、一方の味質が官能的に変化したり逆に官能的には変化しないものの計測値として変化するといった現象が知られている。例えば、マラリアの治療薬として知られているキニーネは非常に強い苦みを呈するが、ショ糖などの甘味成分を添加することにより官能的には苦味が軽減されないものの計測値として苦味が低減されることが非特許文献２に報告されている。このような添加物の混入の有無での味質の変化を調べたい場合に、従来の味認識装置では、添加物を混入した試料と混入していない試料とを用意してそれぞれ別々に分析を行う必要があり、分析の手間が掛かるという問題があった。
【０００８】
【特許文献１】特開平３−１６３３５１号公報
【非特許文献１】「製品紹介  味認識装置SA402B」、[online]、株式会社インテリジェントセンサーテクノロジー、[平成１８年３月２２日検索]、インターネット<URL: http://www.insent.co.jp/products.htm>
【非特許文献２】都甲潔、「感性バイオセンサーとＩＴ社会」、電学論Ｅ、p.１２４−１２７、２００４年
【発明の開示】
【発明が解決しようとする課題】
【０００９】
本発明は上記課題を解決するために成されたものであり、その主たる目的とするところは、試料に含まれる各種成分の個々の味質を詳細に且つ客観的に測定することで、試料全体の味質と試料に含まれる各種成分の味質との関係など詳細な知見を得ることができる味解析装置を提供することにある。
【課題を解決するための手段】
【００１０】
上記課題を解決するために成された本発明は、液体状の試料が有する味を解析するための味解析装置であって、
a)解析対象の液体試料に含まれる各種成分を時間方向に分離する液体クロマトグラフの分離カラムと、
b)該分離カラムで分離された前記液体試料中の各種成分を含む該分離カラム出口からの溶出液中の成分を時間経過に伴って順次検出するための、互いに異なる応答特性を有する複数の味覚センサを含む第１の検出手段と、
c)前記複数の味覚センサにより得られる検出信号を処理することにより、各試料成分に対応した味に関する情報を求める信号処理手段と、
を備えることを特徴としている。
【発明の効果】
【００１２】
本発明に係る味解析装置は、分析対象である液体試料をＬＣの分離カラムにより時間方向に分離し、分離された個々の試料成分を含む溶出液を第１の検出手段に導入する。第１の検出手段において、導入された溶出液は複数の味覚センサに接触し、それら味覚センサは溶出液中の試料成分に応じた検出信号を出力する。時間経過に伴って導入される試料成分が変わると味覚センサの検出信号も変化するから、信号処理手段は、このように時間経過に伴って変動するそれぞれの検出信号に基づいて各試料成分に対応した味についての情報、例えば味質を算出する。これにより、試料全体の味質ではなく、試料に含まれる各種成分毎の味質を詳細に得ることができる。
【００１３】
例えば、分離カラムで成分分離された液体試料を例えばフローセル型である上記第１の検出手段に通した後に紫外可視分光光度計や質量分析計などの検出器に導入したり、或いは分離カラムで成分分離された液体試料をフローセル型の紫外可視分光光度計等の検出器に通した後に上記第１の検出手段に導入したりする構成とし、その検出器により得られる検出信号に基づいて各試料成分を定性したり定量したりすれば、液体試料中に含まれる各種試料成分の種類や含有量と味質とを対応付けて表示したり出力したりすることができる。これにより、試料中に含まれる各種成分とその成分の味に関する情報（例えば味質）とを個別に且つ明確に得ることができる。
【００１４】
好ましくは本発明に係る味解析装置では、前記分離カラムにより成分分離される前の前記液体試料の味を検出するために、互いに異なる応答特性を有する複数の味覚センサを含む第２の検出手段をさらに備える構成とするとよい。
【００１５】
このとき、第１の検出手段と第２の検出手段とは別体であってもよいが、味覚センサの個体差による検出のばらつきやコストの点から考えると、第１の検出手段と第２の検出手段とを共通の検出手段とし、液体試料又は分離カラム出口からの溶出液を選択的にその検出手段に供給する流路切替手段をさらに備える構成とすることが好ましい。
【００１６】
上記構成によれば、試料全体の味質とその試料に含まれる各種成分毎の味質との両方を１回の分析により得ることができるから、試料全体の味質に対する各種成分の味質の寄与の程度や試料全体の味質と各種成分の味質との関係などについての情報を、効率的に且つ簡便に取得することができる。
【００１７】
また、本発明に係る味解析装置の一態様として、前記分離カラムにより成分分離される前及び／又は成分分離された後の試料に添加物を選択的に混入させる添加物混入手段をさらに備え、添加物が混入された状態の試料を成分分離する前に前記検出手段により検出する、及び／又は、前記成分分離手段により分離された各成分毎に添加物が混入された状態の試料を前記検出手段により検出する構成としてもよい。
【００１８】
この構成によれば、例えば試料の味質に対し相乗作用や減殺作用を及ぼすような添加物を混入した場合とそうした物質を混入していない場合との試料の味質の変化などを、簡便に且つ自動的に解析することが可能となる。
【００１９】
また、本発明に係る味解析装置の別の態様として、前記液体試料を希釈する希釈手段をさらに備え、適宜に希釈された液体試料を成分分離する前に及び／又は成分分離した後に検出する構成とすることもできる。
【００２０】
この構成によれば、例えば希釈手段により液体試料を段階的に希釈しながら、その各段階で試料全体や各試料成分毎の味質を調べることにより、官能試験における味希釈評価法と同様の味の評価を自動的に行うことができる。
【発明を実施するための最良の形態】
【００２１】
［第１実施例］
以下、本発明に係る味解析装置の一実施例（第１実施例）について、図面を参照しつつ説明する。図１は本実施例による味解析装置の流路構成を中心とした要部の構成図である。
【００２２】
この味解析装置では、それぞれ容器１０ａ、１０ｂ、１０ｃに収容された移動相（基準液）、酸性洗浄液、塩基性洗浄液は第１切替バルブ１１により選択され、第１送液ポンプ１２によりオートサンプラ１３を介して６ポート２ポジションバルブ１４のポートａに送られる。一方、容器１５ａ、１５ｂ、１５ｃにはそれぞれ異なる添加物Ａ、Ｂ、Ｃが収容されており、第２送液ポンプ１７が作動すると、第２切替バルブ１６により選択された添加物が混合器２１の入口に送られる。
【００２３】
この６ポート２ポジションバルブ１４及び後述の６ポート２ポジションバルブ２３は隣接する２つのポート同士が、図１中に実線で示す状態と点線で示す状態の２つのいずれかに切り替えられる。６ポート２ポジションバルブ１４のポートｆ、ｃ間には、サイズ排除クロマトグラフィ用カラム１９とＵＶ検出器（紫外可視分光光度計）２０とが設けられ、ポートｄは排出口に接続されている。またポートｂは混合器２１の他の入口に接続され、混合器２１の出口は７ポート６ポジションバルブ２２の中心ポートａに接続されている。この７ポート６ポジションバルブ２２は１つの中心ポートａに対し、その周囲の６つのポート（図１では使用している３つのポートｂ、ｃ、ｄのみ記載している）のいずれかが選択的に接続される構成である。
【００２４】
７ポート６ポジションバルブ２２のポートｃ及びポートｂはそれぞれ６ポート２ポジションバルブ２３のポートｂ及びポートｃに接続され、さらに７ポート６ポジションバルブ２２のポートｄは６ポート２ポジションバルブ２３のポートｅ、ｆに接続されている。また、６ポート２ポジションバルブ２３のポートａ及びポートｄは味検出部３０の中の味覚センサＡ、Ｂ、Ｃの入口及び味覚センサＤの入口に接続され、味覚センサＡ〜Ｄの出口は６ポート２ポジションバルブ１４のポートｅに接続されている。なお、味覚センサＡ〜Ｄはそれぞれ後述する１個のセンサブロックに相当するものであり、味覚センサＡ、Ｂ、Ｃはマイナス挙動を示すセンサであり、味覚センサＤはプラス挙動を示すセンサである。
【００２５】
さらに、ＵＶ検出器２０の検出信号と味検出部３０の検出信号とは信号処理部４０に入力されている。信号処理部４０はＣＰＵを中心に、或いは専用のＤＳＰなどを含んで構成され、検出信号を処理して後述するような情報を算出するためのプログラムを保有している。なお、図示していないが、バルブ１４、２２、２３、ポンプ１２、１７などを制御するために制御部が設けられる。
【００２６】
図２〜図５はいずれもこの実施例におけるフロー型の味検出部３０の構造を示す図である。図２はフローセンサ３１の概略上面図、図３は概略斜視図、図４は図２中のＡ−Ａ’矢視線断面図、図５は流路構成図である。このフローセンサ３１は、２本の筒状の電解液保持槽の開口底面に塩化ビニル樹脂にテトラヒドロフラン（ＴＨＦ）を用いて脂質／高分子膜３３を接着させてなるセンサブロック３２と、プラグ３５により保持されセンサブロック３２内に収容される銀（Ａｇ）製の電極３４と、脂質／高分子膜３３へ試料液を導く流路が内部に形成された流路ブロック３６と、比較電極３７とから成る。
【００２７】
測定前に電極３４の下部が浸るように電解液である飽和塩化銀（ＡｇＣｌ）溶液をセンサブロック３２内に入れる。流路ブロック３６内の流路に試料液を流したときにその試料液が脂質／高分子膜３３と接触すると電位応答変化が生じるから、これを電解液を介して電極３４により検出し、その検出信号を上述したように信号処理部４０へと送る。各センサブロック３２には２種類の脂質／高分子膜３３が接着されており、それぞれ異なった味質に応答する。この際、１つのセンサブロック３２に接着された２つの脂質／高分子膜３３は、膜から溶出してくる成分により互いに影響を受けないものを選択する必要がある。フローセンサ３１にはこのようなセンサブロック３２が４つ搭載されており、各センサブロック３２には２つの脂質／高分子膜３３があるから、合計８種類の味質の分析が可能である。本実施例では、図２に示すように、酸味、旨味、渋味、塩味、３種の苦味、及びいずれにも特定されない汎用、の味質の分析に利用されている。
【００２８】
流入口から流入してきた試料液（移動相）は４系統に分岐され、各センサブロック３２の脂質／高分子膜３３に接触した後に合流して共通の比較電極３７を通って流出する。各センサブロック３２に対応した試料液の流路は入口側及び出口側で合流しているから、移動相の送給を停止した場合、或る１つのセンサブロック３２内の膜から溶出した成分を含む試料液が自然拡散により異なるセンサブロックに流入して、そのセンサブロック内の膜を汚染するおそれがある。そこで、試料を導入するための移動相は連続的又は少なくとも途絶えることがないように送給するか、或いは、各センサブロック３２の流路の流入口側及び流出口側にそれぞれ逆止弁などを設けることにより、移動相の送給を停止してもセンサ膜間の汚染を防止できるようにする。
【００２９】
上記構成を有する本実施例の味解析装置の動作を説明する。分析を行う際には、まず、６ポート２ポジションバルブ１４を図１中の点線で示す状態、６ポート２ポジションバルブ２３を図１中の点線で示す状態、７ポート６ポジションバルブ２２はポートａとポートｄとを接続する状態に設定する。そして、第１切替バルブ１１により選択された移動相を第１送液ポンプ１２により吸引してオートサンプラ１３に送る。このときの移動相としては、例えば１０ｍＭＫＣｌや１０ｍＭＫＣｌ＋０．３ｍＬ酒石酸水溶液を使用し、その流量を１ｍＬ／分程度に設定することができる。
【００３０】
オートサンプラ１３により所定のタイミングで移動相中に液体試料が注入されると、移動相に乗って液体試料はバルブ１４から混合器２１に送られるが、第２送液ポンプ１７が作動していなければ液体試料はそのまま混合器２１を通過し、７ポート６ポジションバルブ２２のポートａ、ｄ及び６ポート２ポジションバルブ２３のポートｅ、ｆ、ポートａ、ｄを経て味検出部３０に送られる。そして、味検出部３０を通過する際に各味覚センサＡ〜Ｄによりそれぞれ検出信号が得られ、検出信号は信号処理部４０に送られる。
【００３１】
味検出部３０の各味覚センサＡ〜Ｄを通った液体試料は合流して６ポート２ポジションバルブ１４のポートｅに戻り、ポートｆから出てカラム１９に送り込まれ、カラム１９を通過する間に液体試料中の各種成分は分子量に応じて分離され時間的にずれて出口から溶出する。この溶出液はＵＶ検出器２０に導入され、溶出液中の各種成分は時間経過に伴って順次検出される。即ち、溶出液中に含まれる試料成分の種類に応じた波長の光の吸収度を示す信号が順次得られ、これが信号処理部４０に送られる。
【００３２】
液体試料がカラム１９に導入された直後のタイミングで、６ポート２ポジションバルブ１４は図１中の点線の接続状態から実線の接続状態に切り換えられる。そのため、ＵＶ検出器２０を通過した溶出液は６ポート２ポジションバルブ１４のポートｃ、ｂを通って再び混合器２１に送られる。上述したように第２送液ポンプ１７が作動していなければ溶出液はそのまま混合器２１を通過し、さらに再び味検出部３０に導入される。このときには、オートサンプラ１３により注入された液体試料はカラム１９により成分分離されているので、時間経過に伴って複数の試料成分が順に味検出部３０に導入され、味覚センサＡ〜Ｄではその試料成分毎の検出信号が得られる。味検出部３０を通過した溶出液は６ポート２ポジションバルブ１４のポートｅに戻り、ポートｄから排出される。
【００３３】
上述したような液体試料及び該液体試料が成分分離された溶出液の流れにより、成分分離前の液体試料に対する味検出部３０での検出信号、時間的に分離された各種試料を含む溶出液に対する味検出部３０での検出信号、及び同じく時間的に分離された各種試料を含む溶出液に対するＵＶ検出器２０での検出信号、が信号処理部４０に送られる。信号処理部４０は各検出信号に対して所定の演算処理を行うことにより、分析対象である試料についての情報を求める。
【００３４】
具体的には、成分分離前の液体試料に対する味検出部３０での検出信号に対し、主成分分析、重回帰分析、又はそのほかの適宜の多変量解析処理を適用することにより、その試料の全体としての味質に関する情報を求める。また、時間的に分離された各種試料を含む溶出液に対するＵＶ検出器２０での検出信号に基づいて波長毎のクロマトグラムを作成し、このクロマトグラムに出現しているピークを検出して定性分析を行うことで各試料成分を同定するとともにそれぞれの含有量を推定する。さらに、こうして同定された各種成分が味検出部３０に導入されるタイミングでの該味検出部３０の検出信号を抽出し、これに主成分分析、重回帰分析、又はそのほかの適宜の多変量解析処理を適用することにより、試料に含まれる各種成分毎の味質に関する情報を求める。したがって、これら結果により、分析対象の試料に含まれる各種成分の種類や量とその味質と、そうした試料成分が混合された試料全体の味質との関係などを分析することができる。
【００３５】
本実施例の味解析装置では、上記のような標準的な分析のほかに、さらに別の方法による分析も可能である。例えば、次のようにして添加物による試料の味質の変化を調べることができる。
【００３６】
基本的には上述したような流路を形成して液体試料の分析を行うが、例えば液体試料が注入された後の所定のタイミングで以て第２送液ポンプ１７を作動させることで、第２切替バルブ１６により選択された添加物を混合器２１に送る。これにより、６ポート２ポジションバルブ１４のポートａ、ｂを通過してきた成分分離前の液体試料に混合器２１で添加物が混合され、それが前述のように味検出部３０に送られる。したがって、このときには、添加剤の影響を受けた味質を求めることができる。上述したように第２送液ポンプ１７が停止した状態では添加物の混入は行われないから、第２送液ポンプ１７の制御だけで、味検出部３０に導入する液体試料に添加物が混入した場合と混入していない場合とを容易に選択することができ、添加剤による味質の変化を簡便に測定することができる。具体的には、移動相として１００ｍＭＫＣｌ＋０．３ｍＬ酒石酸水溶液を１ｍＬ／分で流し、分析対象試料としてキニーネを、添加剤としてショ糖を加えることにより、ショ糖の影響でキニーネの苦味が低減されることを確認することができる。
【００３７】
また、カラム１９を通過することにより成分分離された試料が混合器２１を通過するタイミングで以て第２送液ポンプ１７を作動させることで、分離された各成分毎にそれぞれ第２切替バルブ１６により選択された添加物を混合させることができる。このように各成分と添加物との組み合わせについてそれぞれ味検出部３０で味質の変化を測定することにより、味質の変化に寄与する成分やその寄与の程度などを調べることができる。
【００３８】
また、オートサンプラ１３と６ポート２ポジションバルブ１４のポートａとの間に自動希釈装置を挿入して、オートサンプラ１３で移動相中に注入した液体試料の濃度を段階的に下げてゆきながら、その各段階で上述したような分析を実行することにより、味希釈評価法に相当する評価を簡便に行うことができる。具体的には、例えば島津製作所製の高速液体クロマトグラフオートサンプラＳＩＬ−１０ＡＦなど、自動希釈機能を有するオートサンプラを使用すればよい。
【００３９】
ところで、通常、味検出部３０に試料成分が導入された後には移動相が流れ続けるため、各味覚センサの脂質／高分子膜に付着した試料成分は移動相によって洗い流され、その検出信号のレベルは変化前に戻る。しかしながら、試料成分の濃度が高い場合に、脂質／高分子膜への試料成分の残留が多く、検出信号レベルが元に戻りにくいことがある。そうした場合に、上記構成では、洗浄液にて各味覚センサの脂質／高分子膜の洗浄を行うことができる。洗浄を行う際には、脂質／高分子膜の性質に応じて酸性洗浄液又は塩基性洗浄液を使い分ける。即ち、マイナス挙動を示す脂質／高分子膜には、３０％エタノール＋１００ｍＭＨＣｌ等の酸性の洗浄液を、プラス挙動を示す脂質／高分子膜には３０％エタノール＋１００ｍＭＫＣｌ＋１０ｍＭＫＯＨ等の塩基性の洗浄液を用いるとよい。
【００４０】
上記流路構成では、バルブを組み合わせることにより、性質が相容れない洗浄液が混入しないような工夫を行っている。即ち、マイナス挙動を示す味覚センサＡ、Ｂ、Ｃを洗浄するときには、第１切替バルブ１１により酸性洗浄液を選択し、７方６ポジションバルブ２２を図１中の接続状態、６ポート２ポジションバルブ２３を図１中の実線の接続状態に設定する。そして、第１送液ポンプ１２により送られる酸性洗浄液を味検出部３０に導入して各味覚センサの膜の表面の洗浄を行う。十分な洗浄を行った後に、移動相を選択するように第１切替バルブ１１を切り替えて流路内の洗浄液を移動相で以て置換する。
【００４１】
一方、プラス挙動を示す味覚センサＤを洗浄するときには、第１切替バルブ１１により塩基性洗浄液を選択し、７方６ポジションバルブ２２のポートａとポートｂとを接続するとともに、６ポート２ポジションバルブ２３を図１中の実線の接続状態に設定する。そして、第１送液ポンプ１２により送られる塩基性洗浄液を味検出部３０に導入して各味覚センサの膜の表面の洗浄を行う。十分な洗浄を行った後に、移動相を選択するように第１切替バルブ１１を切り替えて流路内の洗浄液を移動相で以て置換する。なお、７方６ポジションバルブ２２のポートａとポートｄとを接続するとともに、６ポート２ポジションバルブ２３を図１中の点線の接続状態に設定することにより、味覚センサＡ〜Ｄの全てに移動相を流し、全ての洗浄液を移動相で置換することもできる。
【００４２】
なお、上記実施例では、試料全体の味質の判定と各試料成分毎の味質の判定とで味検出部３０を兼用していたが、もちろん、別々の味検出部を設けてもよい。但し、一般的に、味覚センサはその検出特性の個体差が比較的大きいため、同一試料に関する試料全体の味質の判定と各試料成分毎の味質の判定との関連付けを行うためには、同一の味覚センサによる検出信号を用いた結果を利用したほうが正確性が高い。
【００４３】
［第２実施例］
図６は本発明に係る味解析装置の他の実施例（第２実施例）による流路構成を中心とした要部の構成図である。図１と同一又は相当する構成要素には同一符号を付している。この実施例の装置では、上記第１実施例とは異なり、味検出部３０を通過した液体試料はそのまま排出されてしまう構成となっているため、試料全体の味質の判定と各試料成分毎の味質の判定とを１回の分析で同時に実行することはできない。その代わりに、７方６ポジションバルブ１８の切り換えにより、成分分離されていない液体試料とカラム１９で成分分離された試料成分を含む溶出液とを選択的に味検出部３０に送ることができるから、２回の分析を行うことで第１実施例と同様の解析が可能である。
【００４４】
なお、上記第１、第２実施例はいずれも本発明の一実施例であり本発明の趣旨の範囲で適宜変更、修正、追加を行っても本願特許請求の範囲に包含されることは明らかである。
【００４５】
例えば、上記実施例では液体クロマトグラフのカラムで分離された試料成分をそのまま味覚検出部に導入していたが、例えばカラムで分離された各種試料成分をフラクションコレクタによりそれぞれ異なる容器に分画し、その後に分画した試料成分を含む溶出液を順次味覚検出部に導入することで各試料成分に対する味覚センサの検出信号を得るようにしてもよい。
【００４６】
また、上記実施例では各試料成分を同定するための検出器としてＵＶ検出器を用いたが、それ以外の検出器を用いてもよい。例えば、同定精度を上げるために質量分析計を用いることができるが、質量分析計では試料を消費してしまうので、カラムからの溶出液をスプリッタにより少量だけ分岐させて質量分析計に導入し、その残りの溶出液を味検出部に導入するような構成とするとよい。
【図面の簡単な説明】
【００４７】
【図１】本発明の第１実施例による味解析装置の流路構成を中心とした要部の構成図。
【図２】味検出部のフローセンサの概略上面図。
【図３】味検出部のフローセンサの概略斜視図。
【図４】図２中のＡ−Ａ’矢視線断面図。
【図５】味検出部のフローセンサの流路構成図。
【図６】本発明の第２実施例による味解析装置の流路構成を中心とした要部の構成図。
【符号の説明】
【００４８】
１０ａ、１０ｂ、１０ｃ、１５ａ、１５ｂ、１５ｃ…容器
１１…第１切替バルブ
１２…第１送液ポンプ
１３…オートサンプラ
１４、２３…６ポート２ポジションバルブ
１６…第２切替バルブ
１７…第２送液ポンプ
１８、２２…７方６ポジションバルブ
１９…カラム
２０…ＵＶ検出器
２１…混合器
３０…味検出部
３１…フローセンサ
３２…センサブロック
３３…脂質／高分子膜
３４…電極
３５…プラグ
３６…流路ブロック
３７…比較電極
４０…信号処理部
【図１】
0004728879.tif 000002
【図２】
0004728879.tif 000003
【図３】
0004728879.tif 000004
【図４】
0004728879.tif 000005
【図５】
0004728879.tif 000006
【図６】
0004728879.tif 000007